(57)【特許請求の範囲】
【請求項１】
平坦な構成および３次元構成を有する折り畳み可能な箱であって、
パネルの第１のセットであって、前記パネルの第１のセットは、第１のメインパネル、第２のメインパネル、第１のサブパネル、第２のサブパネルおよび第３のサブパネルを有し、前記第１のサブパネルは、第１の折り目で前記第１のメインパネルに取り付けられ、前記第２のサブパネルは、第２の折り目で前記第１のメインパネルに取り付けられ、前記第２のサブパネルは、第３の折り目で前記第２のメインパネルに取り付けられ、前記第３のサブパネルは、第４の折り目で前記第２のメインパネルに取り付けられる、パネルの第１のセット、
パネルの第２のセットであって、前記パネルの第２のセットは、第５の折り目で折り畳み可能に接続される第１の接続タブを有する後部サポートパネル、および第６の折り目で折り畳み可能に接続される第２の接続タブを有する前部サポートパネルを含み、前記後部サポートパネルは、前記第２の折り目と一致する前記第５の折り目を用いて前記第２のサブパネルに取り付けられ、そして前記前部サポートパネルは、前記第３のサブパネルの外側端縁と一致する前記第６の折り目を用いて前記第３のサブパネルに取り付けられる、パネルの第２のセット、
パネルの第３のセットであって、前記パネルの第３のセットは、第７の折り目で折り畳み可能に接続される第３の接続タブを有する右側部パネル、および第８の折り目で折り畳み可能に接続される第４の接続タブを有する左側部パネルを含み、前記右側部パネルは、前記第２のメインパネルの第１の外側端縁と一致する前記第７の折り目を用いて前記第２のメインパネルに取り付けられ、そして前記左側部パネルは、前記第２のメインパネルの第２の外側端縁と一致する前記第８の折り目を用いて前記第２のメインパネルに取り付けられる、パネルの第３のセット、および、
取付けテープであって、前記取付けテープは、前記第１の接続タブ、前記第２の接続タブ、前記第３の接続タブおよび前記第４の接続タブをそれらのそれぞれのパネルに固定し、前記取付けテープは、さらに、前記第３の折り目および前記第４の折り目を補強することができる、取付けテープ、
を含む、折り畳み可能な箱。
【請求項２】
前記右側部パネルは、前記右側部パネルに折り畳み可能に接続している２つの取付け翼を含み、そして前記左側部パネルは、前記左側部パネルに折り畳み可能に接続している２つの取付け翼を含み、各取付け翼は、互いに折り畳み可能に接続している第１の三角形コネクタおよび第２の三角形コネクタを有する、請求項１に記載の折り畳み可能な箱。
【請求項３】
前記右側部パネルのための前記取付け翼の１つの前記第２の三角形コネクタは、前記第２のサブパネルに接続していて、そして前記右側部パネルのための前記取付け翼の他の前記第２の三角形コネクタは、前記第３のサブパネルに接続していて、前記左側部パネルのための前記取付け翼の１つの前記第２の三角形コネクタは、前記第２のサブパネルに接続していて、そして前記左側部パネルのための前記取付け翼の他の前記第２の三角形コネクタは、前記第３のサブパネルに接続している、請求項２に記載の折り畳み可能な箱。
【請求項４】
前記折り畳み可能な箱の前記３次元構成を確実に閉じるための第１の磁石および第２の磁石をさらに含み、前記第１の磁石および前記第２の磁石は、反対の極性を有する、請求項１に記載の折り畳み可能な箱。
【請求項５】
前記後部サポートパネルのトップエッジ上に形成されている第１のカットアウト、および、
前記前部サポートパネルのトップエッジ上に形成されている第２のカットアウト、をさらに含み、
前記第１のカットアウトおよび前記第２のカットアウトは、前記折り畳み可能な箱の前記３次元構成を分解するために用いることができる、請求項１に記載の折り畳み可能な箱。
【請求項６】
前記第１の折り目および前記第２の折り目を補強するための補強テープをさらに含む、請求項１に記載の折り畳み可能な箱。
【請求項７】
前記第１のメインパネルの下側に固定されている保護フォームをさらに含む、請求項１に記載の折り畳み可能な箱。
【請求項８】
平坦な構成および３次元構成を有する折り畳み可能な箱であって、
パネルの第１のセットであって、前記パネルの第１のセットは、第１のメインパネル、第２のメインパネル、第１のサブパネル、第２のサブパネルおよび第３のサブパネルを有し、前記第１のサブパネルは、第１の折り目で前記第１のメインパネルに取り付けられ、前記第２のサブパネルは、第２の折り目で前記第１のメインパネルに取り付けられ、前記第２のサブパネルは、第３の折り目で前記第２のメインパネルに取り付けられ、前記第３のサブパネルは、第４の折り目で前記第２のメインパネルに取り付けられる、パネルの第１のセット、
パネルの第２のセットであって、前記パネルの第２のセットは、第５の折り目で折り畳み可能に接続される第１の接続タブを有する後部サポートパネル、および第６の折り目で折り畳み可能に接続される第２の接続タブを有する前部サポートパネルを含み、前記後部サポートパネルは、前記第２の折り目と一致する前記第５の折り目を用いて前記第２のサブパネルに取り付けられ、そして前記前部サポートパネルは、前記第３のサブパネルの外側端縁と一致する前記第６の折り目を用いて前記第３のサブパネルに取り付けられる、パネルの第２のセット、
パネルの第３のセットであって、前記パネルの第３のセットは、第７の折り目で折り畳み可能に接続される第３の接続タブを有する右側部パネル、および第８の折り目で折り畳み可能に接続される第４の接続タブを有する左側部パネルを含み、前記右側部パネルは、前記第２のメインパネルの第１の外側端縁と一致する前記第７の折り目を用いて前記第２のメインパネルに取り付けられ、そして前記左側部パネルは、前記第２のメインパネルの第２の外側端縁と一致する前記第８の折り目を用いて前記第２のメインパネルに取り付けられる、パネルの第３のセット、
前記後部サポートパネルのトップエッジ上に形成されている第１のカットアウト、および、
前記前部サポートパネルのトップエッジ上に形成されている第２のカットアウト、
を含み、
前記第１のカットアウトおよび前記第２のカットアウトは、前記折り畳み可能な箱の前記３次元構成を分解するために用いることができる、折り畳み可能な箱。
【請求項９】
取付けテープをさらに含み、前記取付けテープは、前記第１の接続タブ、前記第２の接続タブ、前記第３の接続タブおよび前記第４の接続タブをそれらのそれぞれのパネルに固定する、請求項８に記載の折り畳み可能な箱。
【請求項１０】
前記取付けテープは、前記第３の折り目および前記第４の折り目を補強することができる、請求項９に記載の折り畳み可能な箱。
【請求項１１】
前記右側部パネルは、前記右側部パネルに折り畳み可能に接続している２つの取付け翼を含み、そして前記左側部パネルは、前記左側部パネルに折り畳み可能に接続している２つの取付け翼を含み、各取付け翼は、互いに折り畳み可能に接続している第１の三角形コネクタおよび第２の三角形コネクタを有する、請求項８に記載の折り畳み可能な箱。
【請求項１２】
前記右側部パネルのための前記取付け翼の１つの前記第２の三角形コネクタは、前記第２のサブパネルに接続していて、そして前記右側部パネルのための前記取付け翼の他の前記第２の三角形コネクタは、前記第３のサブパネルに接続していて、前記左側部パネルのための前記取付け翼の１つの前記第２の三角形コネクタは、前記第２のサブパネルに接続していて、そして前記左側部パネルのための前記取付け翼の他の前記第２の三角形コネクタは、前記第３のサブパネルに接続している、請求項１１に記載の折り畳み可能な箱。
【請求項１３】
前記折り畳み可能な箱の前記３次元構成を確実に閉じるための第１の磁石および第２の磁石をさらに含み、前記第１の磁石および前記第２の磁石は、反対の極性を有する、請求項８に記載の折り畳み可能な箱。
【請求項１４】
前記第１の折り目および前記第２の折り目を補強するための補強テープをさらに含む、請求項８に記載の折り畳み可能な箱。
【請求項１５】
前記第１のメインパネルの下側に固定されている保護フォームをさらに含む、請求項９に記載の折り畳み可能な箱。
【発明の詳細な説明】
【技術分野】
【０００１】
開示された技術は、折り畳み可能な箱に関する。より詳しくは、平坦に保管されて、３次元の箱に折り畳まれる箱に関する。
【背景技術】
【０００２】
箱は、多くの目的のための毎日使用される。それらは、貯蔵、輸送および贈与のためにさえ使われる。さまざまな用途のため、箱は、各種のサイズおよび形状になる。宝石の小片を保持する箱から、冷蔵庫を保持する箱まで。
【０００３】
しかし、箱が製造会社によって製造されるときに、箱は、通常３次元形で出荷される。製造会社は、箱の中の空の空間のための付加的な輸送費を支払わなければならない。加えて、この方法で出荷されるときに、箱は、より損傷もしやすい。
【０００４】
これらの輸送課題を解決するために、箱デザイナーは、折り畳み箱を作った。これらの箱は、平坦な状態で出荷されて、箱の最終的なユーザによって造られることを必要とする。
【０００５】
これらの箱を造るために、ユーザは、箱を展開して特定の部分を特定のスロットに位置させなければならないか、または接着剤またはテープを択一的に使用しなければならない。これらの行為は、時間を浪費し、そして労働集約的である。店舗は、これらの箱を造るためにこの余分な時間の代金を支払わなければならない。箱は通常消費者の前で造られるので、店舗の消費者にも遅延がある。この遅延は、関係するすべての当事者にとってのロスタイムに結果としてなる。
【０００６】
いくらかの店舗は、消費者を遅延させないために、箱を造るための臨時の人員を雇用してもよい。しかしながら、これは、店舗が箱をそれらの３次元形において保管するために空間を発見しなければならないので、店舗の課題の全てを軽減するというわけではない。この手段は、それらが貯える製品のための空間をより少なくする。
【発明の概要】
【発明が解決しようとする課題】
【０００７】
本発明は、平坦な位置において保管される折り畳み可能な箱を造ることによって、従来技術の課題を解決する。箱を３次元位置に折り畳むために、ユーザがしなければならない全ては、箱の２つの側面を展開することである。そしてそれは、折り畳み可能な箱を造る。
【課題を解決するための手段】
【０００８】
一実施形態において、平坦な構成および３次元構成を有する折り畳み可能な箱は、パネルの第１のセットであって、パネルの第１のセットは、第１のメインパネル、第２のメインパネル、第１のサブパネル、第２のサブパネルおよび第３のサブパネルを有し、第１のサブパネルは、第１の折り目で第１のメインパネルに取り付けられ、第２のサブパネルは、第２の折り目で第１のメインパネルに取り付けられ、第２のサブパネルは、第３の折り目で第２のメインパネルに取り付けられ、第３のサブパネルは、第４の折り目で第２のメインパネルに取り付けられる、パネルの第１のセット、パネルの第２のセットであって、パネルの第２のセットは、第５の折り目で折り畳み可能に接続される第１の接続タブを有する後部サポートパネル、および第６の折り目で折り畳み可能に接続される第２の接続タブを有する前部サポートパネルを含み、後部サポートパネルは、第２の折り目と一致する第５の折り目を用いて第２のサブパネルに取り付けられ、そして前部サポートパネルは、第３のパネルの外側端縁と一致する第６の折り目を用いて第３のサブパネルに取り付けられる、パネルの第２のセット、および、パネルの第３のセットであって、パネルの第３のセットは、第７の折り目で折り畳み可能に接続される第３の接続タブを有する右側部パネル、および第８の折り目で折り畳み可能に接続される第４の接続タブを有する左側部パネルを含み、右側部パネルは、第２のメインパネルの第１の外側端縁と一致する第７の折り目を用いて第２のメインパネルに取り付けられ、そして左側部パネルは、第２のメインパネルの第２の外側端縁と一致する第８の折り目を用いて第２のメインパネルに取り付けられる、パネルの第３のセット、を含む。
【０００９】
いくらかの実施態様では、取付けテープが使用されることができる。そしてそれは、第１のタブ、第２のタブ、第３のタブおよび第４のタブをそれらのそれぞれのパネルに固定する。そして、第３の折り目および第４の折り目を補強することもできる。
【００１０】
いくらかの実施態様では、右側部パネルは、右側部パネルに折り畳み可能に接続している２つの取付け翼を含むことができ、そして左側部パネルは、左側部パネルに折り畳み可能に接続している２つの取付け翼を含むことができ、各取付け翼は、互いに折り畳み可能に接続している第１の三角形コネクタおよび第２の三角形コネクタを有する。右側部パネルのための取付け翼の１つの第２の三角形コネクタは、第２のサブパネルに接続していて、そして右側部パネルのための取付け翼の他の第２の三角形コネクタは、第３のサブパネルに接続していて、左側部パネルのための取付け翼の１つの第２の三角形コネクタは、第２のサブパネルに接続していて、そして左側部パネルのための取付け翼の他の第２の三角形コネクタは、第３のサブパネルに接続している。
【００１１】
いくらかの実施態様では、折り畳み可能な箱は、折り畳み可能な箱の３次元構成を確実に閉じるための第１の磁石および第２の磁石を含むことができる。第１の磁石および第２の磁石は、反対の極性を有する。
【００１２】
いくらかの実施態様では、折り畳み可能な箱は、後部サポートパネルのトップエッジ上に形成されている第１のカットアウト、および前部サポートパネルのトップエッジ上に形成されている第２のカットアウトを含むことができる。第１のカットアウトおよび第２のカットアウトは、折り畳み可能な箱の３次元構成を分解するために用いることができる。
【００１３】
いくらかの実施態様では、補強テープが第１の折り目および第２の折り目を補強するために用いられることができる。いくらかの実施態様では、保護フォームを利用してよい。そして保護フォームは、第１のメインパネルの下側に固定されている。
【００１４】
添付の図面と関連して読まれるときに、本発明の好ましい実施形態の以下の説明は、よりよく理解される。しかしながら、本発明が示される正確な配置に限られないことを理解すべきである。
【図面の簡単な説明】
【００１５】
【図１】図１は、その造られた形における本発明の第１実施形態の斜視図である。
【図２】図２は、その造られた形における本発明の第１実施形態の上面図である。
【図３】図３は、平坦な展開した箱からその造られた形へのその移行における本発明の第１実施形態の斜視図である。
【図４】図４は、その平坦な展開した形における本発明の第１実施形態の上面図である。
【図５】図５は、その平坦な展開した形における本発明の第２実施形態の上面図である。
【図６】図６は、平坦な展開した箱からその造られた形へのその移行における本発明の第２実施形態の斜視図である。
【図７】図７は、その造られた形における本発明の第２実施形態の斜視図である。
【図８】図８は、その平坦な展開した形における本発明の第３実施形態の上面図である。
【図９】図９は、平坦な展開した箱からその造られた形へのその移行における本発明の第３実施形態の斜視図である。
【図１０】図１０は、その造られた形における本発明の第３実施形態の斜視図である。
【図１１ａ】図１１ａは、平坦な構成における開示された技術の１つの実施の斜視図である。
【図１１ｂ】図１１ｂは、３次元構成における開示された技術の１つの実施の斜視図である。
【図１２】図１２は、開示された技術の１つの実施におけるパネルの第１のセットの上面図である。
【図１３】図１３は、開示された技術の１つの実施におけるパネルの第２のセットの上面図である。
【図１４】図１４は、開示された技術の１つの実施におけるパネルの第３のセットの上面図である。
【図１５】図１５は、開示された技術の１つの実施における補強テープを有するパネルの第１のセットの上面図である。
【図１６】図１６は、開示された技術の１つの実施における取付けテープを用いて取付けたパネルの第２のセットおよびパネルの第３のセットを有するパネルの第１のセットの上面図である。
【図１７】図１７は、開示された技術の１つの実施において取付けたそしてパネルの第１のセットに関して平坦な位置におけるパネルの第３のセットを有するパネルの第１のセットの上面図である。
【図１８】図１８は、平坦な構成から３次元構成へのその移行における開示された技術の１つの実施の斜視図である。
【図１９】図１９は、平坦な構成から３次元構成へのその移行における開示された技術の１つの実施の斜視図である。
【図２０】図２０は、平坦な構成から３次元構成へのその移行における開示された技術の１つの実施の斜視図である。
【図２１】図２１は、平坦な構成から３次元構成へのその移行における開示された技術の１つの実施の斜視図である。
【発明を実施するための形態】
【００１６】
箱の製造業者は、箱を出荷するときにそれらが出荷される方法のために問題点にしばしばぶつかる。輸送費を減らすために、平坦な位置において箱を出荷することは、よりコスト効果的である。しかしながら、平坦な箱は、それが出荷される当事者によって組立てられなければならない。これは、最終的なユーザの側において時間がかかる。
【００１７】
この時間を削減するために、箱を造るための組立時間を最小にするような方法で、箱は造られることができる。これは、箱のある部品に取り付けられる折り畳み可能なコネクタを有することによって達成される。箱が平坦であるときに、コネクタも平坦である。箱を造るために、ユーザは、箱の側部を持ち上げなければならないだけである。これは連鎖反応を誘発し、そして、ユーザが側部を持ち上げるにつれて、コネクタは、箱の他の部分を次々に引く。次いで、箱は、ユーザの側の最小の仕事によって、完全に三次元である。ユーザは、いかなる追加の接着剤またはテープも箱に加える必要がない。
【００１８】
全ての種類のボール紙および可撓性プラスチックのような折り畳み可能に接続されてよいいかなる材料からも、箱は、造られてよい。箱が見たところ美学的に気持ちよいように、材料は、装飾されてもよい。材料に特定のタイプの薄層状および布様の生地で裏張りをつけることによって、これは、達成される。
【００１９】
図１は、本発明の一実施形態である。図１において、箱１０は、その３次元形である。箱は、折り目１３で外側コネクタ１２に折り畳み可能に接続しているカバー１１を有する。外側コネクタは、折り目２２で箱の底部（図示せず）にも折り畳み可能に接続している。
【００２０】
箱は、右側部１４、前側部１５、左側部１６および後側部２１を有する。右側部１４は、折り目２３で前側部１５に折り畳み可能に接続している。前側部１５は、折り目２６で左側部１６に折り畳み可能に接続している。左側部１６は、折り目２２で後側部２１に折り畳み可能に接続している。後側部２１は、折り目２４で右側部１４に折り畳み可能に接続している。
【００２１】
箱はまた、部分１７、１８を有する前部コネクタ２６、および部分１９および２０を有する後部コネクタを有する。前部コネクタの部分１８は、箱の底部に付着していて、左側部１８の底部に折り畳み可能に接続している。部分１７は、部分１８および前側部１７の底面に折り畳み可能に接続している。
【００２２】
後部コネクタ２７は、後側部２１の底部と右側部１４の底部との間に接続している。後部コネクタは、折り目２５で２つのパーツに折り畳まれる。
【００２３】
図１は、直立した側部１４、１５、１６および２１を有するその造られた形における箱を示す。コネクタ２６および２７は、底部を可視できない底部分の上にある。
【００２４】
図２は、その造られた位置における上面図から折り畳み可能な箱１０を示す。この視点から、箱の底部は、４つの部分に分割される。部分１７および１８は、１つのコネクタ２６を表し、そして部分１９および２０は、第２のコネクタ２７を表す。これらのコネクタ２６および２７は、それらの展開した状態のときに、箱の全底部層をカバーする。
【００２５】
カバーは、折り目１３でコネクタ１２に接続している。ユーザが箱１０を閉めたい場合、ユーザは、カバー１１を持ち上げて、側部１４、１５、１６および２１によってつくられる開口を覆ってカバーを折り畳む。次いで、コネクタ１２は、側部２１上に載る。
【００２６】
図３は、箱が平坦状態から箱形状まで折り畳まれるにつれて使用中における箱を示す。側部１４、１５、１６および２１は、示される。これらの側部は、上記のように全て相互接続している。
【００２７】
コネクタ１８の１つの部分は、箱３０の底部に付着していて、折り目３１で側部１５に接続している。コネクタ１８の第２の部分は、側部１４の底部に接続している。
【００２８】
コネクタ２７は、側部１６および２１の底部に接続している。コネクタ２７と共に開口は、三角形を形成する。
【００２９】
箱の側部が形成されると共に、底部３０、カバー１１およびコネクタ１２は、すべて平坦なままである。
【００３０】
図４は、その平坦位置における箱を示す。側部１８および２１が側部１４および１５によってカバーされると共に、側部１４および１５は、上から見える。
【００３１】
コネクタ２６および２７も、２つの三角形領域を形成するように折り畳まれる、
【００３２】
図５は、折り畳み可能な箱の別の実施形態である。この折り畳み可能な箱５０は、別に組立てられて、箱に折り畳み可能に接続していないカバーを有する。
【００３３】
本実施形態において、箱５０は、底部５１および４つの側部５２、５３、５４および５５を有する。箱の隅にある４つのコネクタ５６、５７、５８、５９によって、側部５２、５３、５４および５５は、底部に折り畳み可能に接続している。
【００３４】
図６は、部分的に組立てられた状態における箱を示す。ここで、側部５２および５４は、折り目で底部に接続している。側部５２および５４はまた、折り目６０および８１で底部に接続している。
【００３５】
４つのコネクタ５６−５９も、示される。これらのコネクタ５６−５９は、各側部の端縁に折り畳み可能に取り付けられる。すなわち、側部５２は、コネクタ５６によって側部５３に取り付けられる。側部５３は、コネクタ５７によって側部５４に取り付けられる。側部５４は、コネクタ５８によって側部５５に取り付けられる。側部５５は、コネクタ５９によって側部５２に取り付けられる。
【００３６】
側部５２および５４上には、箱の側部が適所にきつくあることを確実にするための追加手段６４も示される。これは、ユーザが箱５０を折り畳むときに、箱５０が使用中に不注意に圧壊しないことを確実にする。
【００３７】
追加手段６４は、接着剤、テープまたはベルクロ（登録商標）片であることができる。この追加手段６４は、ユーザが箱を組立てるときにすでに適所にある。箱を造るために、ユーザは、いかなる追加品目も必要としない。
【００３８】
図８−図１０において詳述するように、固定手段（図示せず）は、箱の側部に取り付けられることもできる。この固定手段は、箱がユーザによって造られるときに箱に補強を加える。すなわち、側部がそれらの直立位置にあるときに、固定手段は、箱が使用中に箱が圧壊しないことを確実にする。
【００３９】
図７は、その造られた状態における箱を示す。側部５２−５５は、底面を下に有するそれらの直立位置にある。箱５０がその造られた状態のとき、付加的な固着手段６４は、見えない。
【００４０】
図８は、本発明の第３実施形態を示す。本実施形態において、側部８１−８４および底部９２は、第２実施形態のように造られる。しかしながら、本実施形態において、カバー８９は、箱８０の構造に組み込まれる。輸送の間、箱８０がその平坦状態にあるときに、カバー８９およびリップ９０は、１８０°回転していてもよく、箱８０の底部９２に対して格納されてもよい。
【００４１】
側部８１−８４は、折り目９３で側部８２に折り畳み可能に取り付けられるカバー８９を有して造られる。次いで、カバー８９は、造られた箱８０に側部８４でカバー８９を固定するためのリップ９０に取り付けられる。
【００４２】
固定手段９１は、折り目９４で側部８４に取り付けられる。この固定手段９１は、箱がユーザによって造られるときに箱に補強を加える。すなわち、側部がそれらの直立位置にあるときに、固定手段は、８１と８３との間に配置される。これは、箱８０が使用中であるときに、箱８０が圧壊しないことを確実にする。
【００４３】
箱は、箱の側部が適所にきつくあることを確実にするための追加手段９５を有してもよい。追加手段９５は、接着剤、テープまたはベルクロ（登録商標）片であることができる。この追加手段９５は、ユーザが箱を組立てるときにすでに適所にある。箱を造るために、ユーザは、いかなる追加品目も必要としない。
【００４４】
図９は、折り畳み状態と展開した状態との間の移行状態における箱８０を示す。箱８０は、その展開した状態から持ち上げられるにつれて、箱８０の側部８１−８４を上昇させる。
【００４５】
図１０は、上昇する側部８１−８４を有する箱８０を示す。箱８０を完全に閉めるために、カバー８９は、側部８１−８４によって作成される開放領域を通じて投げられる。次いで、カバー８０は、係止手段９４（例えば箱の面と面との間に位置してよい磁石）を用いて側部に対する蓋として固定される。しかしながら、他のタイプの係止手段（例えばスナップ）は、適所にカバー８９を係止するためにリップおよび側部に配置されてよい。
【００４６】
開示された技術による折り畳み可能な箱の別の実施態様において、折り畳み可能な箱は、平坦な構成から３次元構成まで交換可能である。折り畳み可能な箱は、パネルの第１のセット、パネルの第２のセットおよびパネルの第３のセットを含むことができる。パネルの第２のセットおよびパネルの第３のセットは、折り畳み可能な箱を形成するために、パネルの第１のセットに接着剤でそして折り畳み可能に接続している。
【００４７】
図１１ａ−図１１ｂを参照すると、折り畳み可能な箱１００は、箱１００が平坦である（図１１ａ参照）第１の平坦構成、および箱が直立して造られる（図１１ｂ参照）第２の３次元構成を有することができる。第２の構成は、第１の平坦構成に転位可能であり、その逆もまた同じである。折り畳み可能な箱１００は、予め定義された様式で配置されそして固定されるパネル１１０の第１のセット、パネル１５０の第２のセットおよびパネル１８０の第３のセットを含む。そして、一実施形態において、３次元折り畳み可能な箱１００の寸法は、１５−３０ｃｍ（ｌ）×１２−２４ｃｍ（ｗ）×２−１０ｃｍ（ｈ）でもよい。より大きいおよびより小さい寸法は、可能である。
【００４８】
パネル１１０、１５０、１８０の各セットは、形状において好ましくは矩形であるパネルを含むことができ、そして、いくらかの実施態様では、ボール紙（板紙）、ボール紙（厚紙）、可撓性プラスチック、または他の任意の適切な基材のような基材からつくられることができる。そして基材は、予め定義された材料によって積層されることができる。いくらかの実施態様では、箱が見たところ美学的に気持ちよいように、積層体は、装飾されることができる。基材に特定のタイプの化粧板および布様の生地で裏張りをつけることによって、これは、達成される。
【００４９】
図１２を参照すると、パネル１１０の第１のセットが示される。パネル１１０の第１のセットは、予め定義された折り目／層に沿って予め定義された様式で結合される複数のパネルを含むことができる。パネル１１０の第１のセットは、パネルの２つの種類（例えば、メインパネルおよびサブパネル）を有することができる。メインパネルは、好ましくはサブパネルよりも大きい。いくらかの実施態様では、メインパネルおよびサブパネルの長さは、ほぼ同一でありえるが、メインパネルの幅は、サブパネルの幅の２〜５倍でありえる。
【００５０】
第１のメインパネル１１２は、第２のメインパネル１１４のそれとほぼ同一の寸法を有する。パネル１２０、１２２および１２４は、ほぼ同一の寸法を有するサブパネルを定義する。サブパネル１２０は、第１のメインパネル１１２に結合する。サブパネル１２２は、第１のメインパネル１１２と第２のメインパネル１１４との間に結合される。サブパネル１２４は、第２のメインパネル１１４に結合する。サブパネル１２０および１２２は、それぞれ折り目１３０および１３２に沿って、パネル１１２と関連して折り畳み可能である。サブパネル１２２および１２４は、それぞれ折り目１３４および１３８に沿って、第２のメインパネル１１４と関連して折り畳み可能である。メインパネルおよびサブパネルは、好ましくはパネル１１０の第１のセットの同一の構造を定めるために積層される。メインパネルおよびサブパネルを含むパネル１１０の第１のセットは、単一ピースにおけるメインパネルおよびサブパネルの所望の組合せを定義するために、打ち抜き、スコアリング次いで折り畳みによってつくられることができる。
【００５１】
パネル１１０の第１のセットは、作り付けの磁気係止配置１４０、１４２、１４４、１４８を含むこともできる。すなわち、サブパネル１２０および１２４が磁石１４０、１４２、１４４、１４８を含むことができて、磁石１４０、１４２、１４４、１４６は、好ましくはラミネーションの下でサブパネル１２０および１２４の内部に配置されることができる。磁石がサブパネルから肉眼によって見えないように、磁石１４０、１４２、１４４、１４６は、それぞれのサブパネル内に配置されることができる。磁石１４０、１４２、１４４、１４６の各々の厚みは、それぞれのサブパネル１２０、１２４の厚みに実質的に近くでありえる。磁石１４０、１４２は、磁石１４４、１４６のそれと反対極性を有する。箱１００が閉位置にあるときに磁石が係合されることができるように、磁石１４０、１４２、１４４、１４６は、それぞれのサブパネル２８および３０内に配置されることができる。いくらかの実施態様において、磁石の１セットは、磁気的吸引材料（例えば鉄の金属）と置き換えられることができる。
【００５２】
図１３を参照すると、パネル１５０の第２のセットは、それが後部サポートパネル１６０および前部サポートパネル１７０を含むことが示される。後部サポートパネル１６０は、カットアウト１６４および取付けタブ１６２を含む矩形のパネルでありえる。取付けタブは、折り目１６６で後部サポートパネルに結合する。前部サポートパネル１７０は、カットアウト１７４および取付けタブ１７２を含む矩形のパネルでありえる。取付けタブ１７２は、折り目１７６で前部サポートパネル１７０に結合することができる。
【００５３】
図１４を参照すると、パネル１８０の第３のセットは、それが右側部パネル１９０および左側部パネル２００を含むことが示される。右側部パネル１９０は、取付けタブ１９２および一対の取付け翼１９４、１９６を含む矩形のパネルでありえる。取付け翼１９４、１９６は、それぞれ折り目１９３、１９１で、右側部パネル１９０に折り畳み可能に接続している。取付け翼１９４、１９６の一対は、三角形コネクタ１９４ａ−ｂ、１９６ａ−ｂをそれぞれ定義する対角線の折り畳み１９５、１９７を含む。取付けタブ１９２は、折り目１９８で右側部パネル１９０に結合することができる。左側部パネル２００は、取付けタブ２０２および一対の取付け翼２０４、２０６を含む矩形のパネルでありえる。取付け翼２０４、２０６の一対は、それぞれ折り目２０３、２０１で、左側部パネルに折り畳み可能に接続している。取付け翼２０４、２０８の一対は、三角形コネクタ２０４ａ−ｂ、２０６ａ−ｂをそれぞれ定義する対角線の折り畳み２０５、２０７を含む。取付けタブ２０２は、折り目２０８で右側部パネル２００に結合することができる。
【００５４】
図１５−図１７は、折り畳み可能な箱の構造のさまざまなステージを示す。これらのステージは、いかなる順序においても実行されることができる。そして明確化のために、図１５−１７は各々、構造の単一ステージを示す。
【００５５】
図１５に示すように、パネル１１０の第１のセットは、保護紙２４０の第１のピースによって積層されることができる。保護紙２４０は、接着剤を用いてパネル１１０の第１のセットの内側に適用されることができる。または、保護紙２４０は、一種の接着テープでありえる。保護紙２４０は、パネル１１０の第１のセットに部分的に適用される。すなわち、保護紙２４０の周辺部は、パネル１２０およびメインパネル１１２の外側端縁に隣接していて、ちょうど僅かに折り目１３２を越えてパネル１２２上へ延びる。保護紙は、折り目１３０および１３２のためにサポートを提供する。保護層２４２は、パネル１１０の第１のセットの内側に適用されることもできて、折り畳み可能な箱１００内の内容物の保護として使用されることもできる。すなわち、保護層２４２は、ほぼ０．１−１ｍｍの予め定義された厚みを有するフォーム様の材料から形成されることができる。
【００５６】
図１６に示すように、パネル１５０の第２のセットおよびパネル１８０の第３のセットは、取付けテープ２５０を用いてパネル１１０の第１のセットに取り付けられることができる。すなわち、（１）後部サポートパネル１８０の折り目１６６が折り目１３２と一致し、そしてタブ１６２がサブパネル１２２上に横たえられるように、（２）前部サポートパネル１７０の折り目１７６がパネル１２４の外側端縁と一致し、そしてタブ１７２がサブパネル１２４上に横たえられるように、（３）右側部パネル１９０の折り目１９６がメインパネル１１４の右側部外側端縁と一致し、そしてタブ１９２がメインパネル１１４上に横たえられるように、（４）左側部パネル２００の折り目２０８がメインパネル１１４の左側部外側端縁と一致し、そしてタブ２０２がメインパネル１１４上に横たえられるように、後部サポートパネル１８０、前部サポートパネル１７０、右側部パネル１９０および左側部パネル２００は、パネル１１０の第１のセットに関して配置されることができる。一旦配置されると、取付けテープ２５０は、取付けテープ２５０の下にあるタブ１７２、１８２、１９２および２０２の一部を有するパネルの第１のセットに付着される。そして、保護紙２５０の周辺部は、パネル１２４およびメインパネル１１４の外側端縁に隣接していて、ちょうど僅かに折り目１３２の前にパネル１２２上へ延びる。換言すれば、取付けテープ２５０は、第２および第３のパネル１５０、１８０を第１のパネル１１０に付着し、そして折り目１３４および１３８にサポートを提供する。いくらかの実施態様において、タブ１７２、１８２、１０２、２０２は、接着剤を用いてメインパネル１１４に直接付着することができる。
【００５７】
図１７に示すように、右側部パネル９０の三角形コネクタ１９４ｂ、１９６ｂは、それぞれ接続面２６０ａ、２６０ｂでサブパネル１２２および１２４に取り付けられる。そして、左側部パネル２００の三角形コネクタ２０４ｂ、２０６ｂは、それぞれ接続面２７０ａ、２７０ｂでサブパネル１２２および１２４に取り付けられる。コネクタは、接着剤（例えば、接着グルー）を用いてそれらのそれぞれのパネルに取り付けられる。１９４ａが１９４ｂ上に横たわり、１９６ｂが１９６ａ上に横たわり、２０４ａが２０４ｂ上に横たわり、そして２０６ｂが２０６ａ上に横たわるように、取付け翼は、互いに上に折り畳まれる。右側部パネル１９０および左側部パネル２００はすっかり折り畳まれるので、パネルは、メインパネル１１４上の横たわる平坦である。
【００５８】
図１８−図２１を参照すると、パネル１１０の第１のセット、パネル１５０の第２のセットおよびパネル１８０の第３のセットの折り畳み式アセンブリは、開示された技術による折り畳み可能な箱の第１の閉じた構成を定義する。第１の閉じた位置において、パネル１１０の第１のセット、パネル１５０の第２のセットおよびパネル１８０の第３のセットは、第１の閉じた位置に完全に折り畳まれる（図１１ａ参照）。次のステップにおいて、右および左パネル１９０および２００は、矢印Ａ１によって示されるように、右および左パネル１９０および２００をメインパネル１１４から分離するために上方へ引かれる（図１８参照）。右および左パネル１９０および２００は、メインパネル１１４と関連してそれらの平坦位置から直立位置まで移動する。右および左パネル１９０および２００の開口は、サブパネル１２２および１２４を直立位置（図１９参照）にもたらす。サブパネル１２２および１２４は、直立位置を達成するために矢印Ａ２およびＡ３によって示されるように、それぞれ折り目１３４および１３６のまわりを折り畳み可能に回転する。
【００５９】
図２０に示すように、次のステップにおいて、後部サポートパネル１６０は、矢印Ａ５によって示されるように折り目１６６のまわりに折り畳まれる。そして、前部サポートパネル１７０は、矢印Ａ４によって示されるように折り目１７６のまわりに折り畳まれる。このステップでは、サブパネル１２２および１２４および左右のパネル１９０、２００は、折り畳み可能な箱１００の基部を定めているメインパネル１１４を有するサブパネル１２２および１２４および左右のパネル１９０、２００の直立位置を支持している後部および前部サポートパネルを有する折り畳み可能な箱１００の側部を定める。図２１に示すように、次のステップにおいて、メインパネル１１２は、矢印Ａ６によって示されるように折り目１３２のまわりに折り畳まれる。メインパネル１１２は、箱１００の上部を定義する。次のステップにおいて、サブパネル１２０は、サブパネル１３０がサブパネル１２４上に配置されるように、矢印Ａ７によって示されるように折り畳み１３０のまわりを折り畳み可能に回転する。サブパネル１３０および１２４は、磁石の間の磁力によって係止可能である。３次元構成の箱１００は、上述のステップを逆順に従うことによって、平坦状態まで折り返されることができる。
【００６０】
折り畳み可能な箱１００は、箱が平坦状態から３次元状態へと容易に折り畳まれることができる単純な組立方法を提供するように都合よく設計される。さらに重要なことに、一旦箱がその３次元状態にあると、ユーザが前部サポートパネルおよび後部サポートパネルをそれらのロック位置から手動で解錠して、その平坦な折り畳み状態に箱を戻すまで、前部サポートパネル１７０および後部サポートパネル１６０は、箱をその３次元状態に確実にロックする。
【００６１】
本明細書が多くの具体的な実施の詳細を含むとはいえ、これらは、開示された技術のまたは請求されることができることの範囲上の限界としてではなく、むしろ、開示された技術の特定の実施に特有の特徴の説明として解釈されなければならない。別々の実施の文脈においてこの明細書に記載されている特定の特徴は、単一の実施の組合せにおいて実施されることもできる。反対に、単一の実施の文脈において記載されているさまざまな特徴は、複数の実施において別々に、またはいかなる適切なサブ組合せにおいて実施されることもできる。さらに、特徴が特定の組合せにおいて作用するように上で記載されることができて、そして最初にさえそのように請求されることができるけれども、請求された組合せからの１つ以上の特徴は、場合によっては組合せから削除されることができ、そして、請求された組合せは、サブ組合せまたはサブ組合せのバリエーションに向けられることができる。
【００６２】
前述の詳細な説明は、あらゆる点で図示するがしかし拘束的でないとして理解されるべきである。そして、本明細書において開示される開示された技術の範囲は、詳細な説明から決定されるのではなく、むしろ、特許法によって許される完全な幅にしたがって解釈される請求項から決定されるべきである。本明細書において図示されそして記載される実施は、開示された技術の原則を図示するだけであることを、そして、開示された技術の範囲および趣旨を逸脱しない範囲でさまざまな変更態様が実施されることができることを理解すべきである。
【図１】
0006480468.tif 000002
【図２】
0006480468.tif 000003
【図３】
0006480468.tif 000004
【図４】
0006480468.tif 000005
【図５】
0006480468.tif 000006
【図６】
0006480468.tif 000007
【図７】
0006480468.tif 000008
【図８】
0006480468.tif 000009
【図９】
0006480468.tif 000010
【図１０】
0006480468.tif 000011
【図１１ａ】
0006480468.tif 000012
【図１１ｂ】
0006480468.tif 000013
【図１２】
0006480468.tif 000014
【図１３】
0006480468.tif 000015
【図１４】
0006480468.tif 000016
【図１５】
0006480468.tif 000017
【図１６】
0006480468.tif 000018
【図１７】
0006480468.tif 000019
【図１８】
0006480468.tif 000020
【図１９】
0006480468.tif 000021
【図２０】
0006480468.tif 000022
【図２１】
0006480468.tif 000023